(57)【要約】【課題】排水管の内部が洗浄し易くなる排水管の清掃方法を提供する。【解決手段】サイホン排水管４４の内部の清掃方法は、サイホン排水管４４に支持されて、サイホン排水管４４に形成された清掃口６８の周囲を覆う筒状の基部９２Ａと、該基部９２Ａの軸方向の一端側に一体的に設けられ、清掃口６８から挿入される洗浄ノズル９４を備えたホース９６を基部９２Ａの軸方向に対して所定の方向に傾斜した方向に案内する案内部９２Ｂと、を含んで構成されるガイド部材９２を取り付ける第１工程と、ガイド部材９２の内部を通って、清掃口６８からサイホン排水管４４の内部に洗浄ノズル９４を挿入する第２工程と、を含んで構成されている。【選択図】図８
2020063565.tif 000002
【特許請求の範囲】
【請求項１】
水回り器具からの排水を流す排水管の清掃方法であって、
前記排水管に支持されて、前記排水管に形成された清掃口の周囲を覆う筒状の基部と、該基部の軸方向の一端側に一体的に設けられ、前記清掃口から挿入される洗浄ノズルを備えたホースを該基部の軸方向に対して所定の方向に傾斜した方向に案内可能とする案内部と、を含んで構成されるガイド部材を取り付ける第１工程と、
前記ガイド部材の内部を通って、前記清掃口から前記排水管の内部に前記洗浄ノズルを挿入する第２工程と、
を含む排水管の清掃方法。
【請求項２】
前記清掃口は、横方向に延在し水廻り器具からの排水を流す横引き管と、前記横引き管の下流側に配置され、略鉛直方向に延在する竪管と、を連結させる継手を構成する屈曲部の少なくとも一部と重なる位置に設けられていることを特徴とする、
請求項１に記載の排水管の清掃方法。
【請求項３】
前記清掃口は、前記屈曲部の全体と重なる位置に設けられていることを特徴とする、
請求項２に記載の排水管の清掃方法。
【請求項４】
前記案内部は、前記基部の軸方向の一端側の周縁部から軸方向外側へ立設された壁部を有し、該壁部は該周縁部から外側へ向かうにつれて内径が徐々に拡径されていることを特徴とする、
請求項１〜請求項３のいずれか１項に記載の排水管の清掃方法。
【請求項５】
前記ガイド部材は、弾性変形可能な弾性体で形成されていることを特徴とする、
請求項１〜請求項４のいずれか１項に記載の排水管の清掃方法。
【請求項６】
前記清掃口は、前記排水管における住戸の外側に配置された部分に設けられていることを特徴とする、
請求項１〜請求項５のいずれか１項に記載の排水管の清掃方法。
【発明の詳細な説明】
【技術分野】
【０００１】
本発明は、排水管の清掃方法に関する。
【背景技術】
【０００２】
特許文献１には、排水管（排管）に、蓋で閉塞可能な開口が形成された継手を予め接続しておき、排水管内の洗浄を行う場合に、蓋を外して開口から排水管内に洗浄ノズルを挿入する排管清掃方法が開示されている。
【０００３】
また、この特許文献１には、継手の開口から洗浄用の水が外部へ飛散することを防止するために、開口の周囲を覆うガイド管を取り付ける構成が開示されている。
【先行技術文献】
【特許文献】
【０００４】
【特許文献１】特開２０１８―０２５０７３号公報
【発明の概要】
【発明が解決しようとする課題】
【０００５】
しかし、上記先行技術に記載のガイド管は、排管の軸方向と直交する方向を軸方向とする円筒形状とされている。このため、当該ガイド管の内部を通って排管の内に洗浄ノズルを挿入すると、洗浄ノズルのホースが継手の開口を通る際に大きく折り曲がるため、ホースが挿入し難くなる場合が考えられる。よって、この点において改善の余地がある。
【０００６】
本発明は、上記事実を考慮し、排水管の内部が洗浄し易くなる排水管の清掃方法の提供を目的とする。
【課題を解決するための手段】
【０００７】
請求項１に記載の本発明に係る排水管の清掃方法は、水回り器具からの排水を流す排水管の清掃方法であって、前記排水管に支持されて、前記排水管に形成された清掃口の周囲を覆う筒状の基部と、該基部の軸方向の一端側に一体的に設けられ、前記清掃口から挿入される洗浄ノズルを備えたホースを該基部の軸方向に対して所定の方向に傾斜した方向に案内する案内部と、を含んで構成されるガイド部材を取り付ける第１工程と、前記ガイド部材の内部を通って、前記清掃口から前記排水管の内部に前記洗浄ノズルを挿入する第２工程とを含んで構成されている。
【０００８】
請求項１に記載の本発明に係る排水管の清掃方法では、排水管の清掃口にガイド部材を取り付け、ガイド部材を介して清掃口から排水管の内部へ洗浄ノズルを挿入する。そして、洗浄ノズルから水を噴出させながら管材へ洗浄ノズルのホースを順次送り込む。これにより、排水管の内部を順次洗浄することができる。
【０００９】
ここで、排水管には、清掃口の周囲を覆う筒状のガイド部材が取り付けられているため、清掃口から洗浄用の水が外部へ飛散することが防止される。これにより、作業場が洗浄用の水で汚されることなく作業できるため、清掃作業の効率が向上される。
【００１０】
さらに、ガイド部材を介して排水管の内部へ洗浄ノズルを挿入する際に、洗浄ノズルのホースがガイド部材の案内部によって所定の方向に傾斜しながら支持される。このため、洗浄ノズルの導入方向に合わせてホースを傾斜させながら挿入することができるため、排水管内部へ洗浄ノズルを挿入する作業が容易になる。
【００１１】
請求項２に記載の本発明に係る排水管の清掃方法は、請求項１に記載の構成において、前記清掃口は、横方向に延在し水廻り器具からの排水を流す横引き管と、前記横引き管の下流側に配置され、略鉛直方向に延在する竪管と、を連結させる継手を構成する屈曲部の少なくとも一部と重なる位置に設けられている。
【００１２】
請求項２に記載の本発明に係る排水管の清掃方法では、洗浄ノズルを挿入する清掃口は、横引き管と竪管とを連結させる継手の屈曲部の少なくとも一部と重なる位置に設けられている。従って、清掃口を通じて横引き管側と竪管側のいずれにも洗浄ノズルを挿入し易い構造とされているため、横引き管及び竪管の内部へ洗浄ノズルを挿入する作業が容易になる。
【００１３】
請求項３に記載の本発明に係る排水管の清掃方法は、請求項２に記載の構成において、前記清掃口は、前記屈曲部の全体と重なる位置に設けられていることを特徴とする。
【００１４】
請求項３に記載の本発明に係る排水管の清掃方法では、洗浄ノズルを挿入する清掃口が排水管の屈曲部の全体と重なる位置に設けられている。このため、清掃口から屈曲部の両側に位置する排水管の内部へのアクセスが一層容易になる。これにより、排水管内部へ洗浄ノズルを挿入する作業が、一層、容易になる。
【００１５】
請求項４に記載の本発明に係る排水管の清掃方法は、請求項１〜請求項３のいずれか１項に記載の構成において、前記案内部は、前記基部の軸方向の一端側の周縁部から軸方向外側へ立設された壁部を有し、該壁部は該周縁部から外側へ向かうにつれて内径が徐々に拡径されていることを特徴とする。
【００１６】
請求項４に記載の本発明に係る排水管の清掃方法では、ガイド部材の案内部が基部の軸方向の一端側の周縁部から軸方向外側へ立設された壁部を有している。この壁部は、向かうにつれて内径が徐々に拡径されている。つまり、案内部の壁部は基部の軸方向に対して所定の方向に傾斜されている。これにより、ガイド部材を介して排水管の内部へ洗浄ノズルを挿入する際に、洗浄ノズルのホースが案内部の壁部によって所定の方向に傾斜しながら支持される。さらに、壁部によるホースの支持面を変更することにより、ガイド部材を取り付けたままで、ホースの傾斜方向を変更することができる。これにより、排水管内部へ洗浄ノズルを挿入する作業が、一層、容易になる。
【００１７】
請求項５に記載の本発明に係る排水管の清掃方法は、請求項１〜請求項４のいずれか１項に記載の構成において、前記ガイド部材は、弾性変形可能な弾性体で形成されている。
【００１８】
請求項５に記載の本発明に係る排水管の清掃方法では、ガイド部材が、弾性変形可能な弾性体で形成されている。このため、排水管の内径寸法が小さい場合等、洗浄ノズルのホースを排水管に沿わせるように大きく傾斜させながら挿入する必要がある場合には、ガイド部材を弾性変形させてホースを洗浄ノズルの挿入方向に合わせて傾斜させることができる。これにより、様々な形状の排水管の洗浄に対応することができ、清掃作業の汎用性が高められている。
【００１９】
請求項６に記載の本発明に係る排水管の清掃方法は、請求項１〜請求項５のいずれか１項に記載の構成において、前記清掃口は、前記排水管における住戸の外側に配置された部分に設けられていることを特徴とする。
【００２０】
請求項６に記載の本発明に係る排水管の清掃方法では、洗浄ノズルを挿入する清掃口が住戸の外側に配置されている。このため、作業員が住戸内に入ることなく洗浄作業を行うことができ、清掃作業に伴う入居者等への影響を抑えることができる。よって、清掃作業の利便性が向上される。
【発明の効果】
【００２１】
以上説明したように本発明に係る排水管の清掃方法によれば、排水管内部へ洗浄ノズルを挿入する作業を容易にし、かつ、清掃作業の効率を向上することにより、排水管の内部が洗浄を容易にすることができるという優れた効果を奏する。
【図面の簡単な説明】
【００２２】
【図１】サイホン排水システムの全体構造を示す側面図である。
【図２】清掃口付き継手を示す一部を断面とした斜視図である。
【図３】清掃口付き継手を示す一部を断面とした分解斜視図である。
【図４】中子と蓋を外した清掃口付き継手を示す平面図である。
【図５】中子を示す斜視図である。
【図６】図２に示す清掃口付き継手の６−６線断面図である。
【図７】洗浄ノズルを挿入した清掃口付き継手を示す断面図である。
【図８】ガイド部材を挿入した清掃口付き継手を示す一部を断面にした斜視図である。
【図９】ガイド部材の変形例を示す図８に対応する斜視図である。
【図１０】清掃口継手の変形例を示す図８に対応する斜視図である。
【発明を実施するための形態】
【００２３】
以下、図１〜図８に基づいて、本発明の一実施形態に係る清掃口付き継手５０を用いたサイホン排水管４４の清掃方法について説明する。図１には、本実施形態に係る清掃口付き継手５０が用いられたサイホン排水システム１０の全体構成が概略図にて示されている。本実施形態に係るサイホン排水システム１０は、サイホン力を利用して水回り器具からの排水を効率よく排出する排水システムである。
【００２４】
（サイホン排水システムの概略）
サイホン排水システム１０は、複数階で構成された集合住宅に用いられ、図１に示すように、排水を下方へ流す排水立て管１２を備えている。この排水立て管１２は、集合住宅の上下方向（鉛直方向）に延設され、集合住宅の各階の床スラブ１４を貫いている。なお、排水立て管１２は、住戸の内外を仕切る外壁１６の外側、例えば、メーターボックス１８の中に配置されている。本実施形態のサイホン排水システムは、集合住宅に好適に用いられるが、集合住宅以外の戸建て住宅や工場等にも用いることができる。
【００２５】
集合住宅の各階の各戸には、水回り器具２０が設けられている。この水回り器具２０は、一例としてキッチンのシンクであり、排水方向下流側にディスポーザー２２、及び排水トラップ２４が接続されている。排水トラップ２４の排水方向下流側には、Ｌ字状に曲げられたＬ字配管部材２６が配置されている。Ｌ字配管部材２６は、排水トラップ２４に接続されて鉛直方向に延びる鉛直部２６Ａ、床スラブ１４の上に水平方向に配置されて水平方向に延びる水平部２６Ｂ、及び鉛直部２６Ａと水平部２６Ｂとを繋ぐ湾曲部２６Ｃを含んで構成されている。
【００２６】
Ｌ字配管部材２６の排水方向下流側には、床スラブ１４の上に配置されて水平方向、言いかえれば鉛直方向に対して直角方向に延びる横引き管部材２８が配置されている。Ｌ字配管部材２６と横引き管部材２８とは、継手３０を介して接続されている。
【００２７】
横引き管部材２１の排水方向下流側の端部には、継手３２を介して後述する清掃口付き継手５０の第１接続部６０が接続されている。清掃口付き継手５０の下流側には、床スラブ１４を貫通して配置され、上下方向に延びる竪管部材３６が配置されている。この竪管部材３６の上流側の端部には、清掃口付き継手５０の第２接続部６２が接続されている。
【００２８】
竪管部材３６の排水方向下流側の端部は、排水立て管１２の中間部に取付けられた合流継手４０に継手４２を介して接続されている。
【００２９】
本実施形態において、床スラブ１４の上に水平に配置されている配管部分、具体的にはＬ字配管部材２６の水平部２６Ｂ、横引き管部材２８、がサイホン排水管４４の横引き管４６とされ、竪管部材３６がサイホン排水管４４の竪管４８とされている。なお、サイホン排水管４４が本発明における「排水管」に相当する。
【００３０】
（継手の構成）
図２、及び図３に示すように、本発明の継手の一例である清掃口付き継手５０は、本体部５２、閉塞部材としての中子５４、及び蓋５６を含んで構成されている。本実施形態の本体部５２、中子５４、及び蓋５６は、合成樹脂で形成されている。
【００３１】
本体部５２は、不透明な合成樹脂で形成されており、筒状をなす本体管部５８を備えている。本体管部５８は、略Ｌ字状に湾曲されており、横引き管４６の軸方向に沿って延在する水平部５８Ａと、竪管４８の軸方向に沿って延在された鉛直部５８Ｂと、を備えている。また、本体管部５８は、水平部５８Ａの下流側の端部と鉛直部５８Ｂの上流側の端部とを繋ぐ屈曲部５８Ｃを備えている。換言すると、本体管部５８は、屈曲部５８Ｃを中心に湾曲された筒体をなしている。また、屈曲部５８Ｃの両側に配置された水平部５８Ａと鉛直部５８Ｂは、互いに直交する方向に延在している。なお、本体管部５８の内径は、一定の径で形成されている。
【００３２】
さらに、本体管部５８には、水平部５８Ａの上流側の端部に第１接続部６０が一体的に形成され、鉛直部５８Ｂの下流側の端部に第２接続部６２が一体的に形成されている。
【００３３】
第１接続部６０は、本体管部５８の径よりも大径に形成されており、継手３２が挿入可能となっている。第２接続部６２は、本体管部５８の径よりも大径に形成されており、竪管４８の上流側の端部が挿入可能となっている（図２参照）。このように、本実施形態のサイホン排水管４４の清掃口付き継手５０は、横引き管４６と竪管４８とを連結しており、略水平方向（横方向）に延在する配管を鉛直下方側へ落とし込む曲げ管として機能している。なお、本実施形態の清掃口付き継手５０において、第１接続部６０と第２接続部６２とは同一形状であり、第１接続部６０の内径と第２接続部６２の内径は同一内径とされている。
【００３４】
さらに、上記した第２接続部６２は、床スラブ１４の床面１４Ａに図示しない固定手段を用いて固定されている。これにより、清掃口付き継手５０が床スラブ１４によって下方側から支持されている（図１参照）。
【００３５】
図２、図３、図６に示されるように、本体管部５８には、円筒状に形成され、本体管部５８の上面から鉛直上方側へ立設された側管部６４が一体的に設けられている。具体的には、側管部６４は、本体管部５８を構成する水平部５８Ａの上面から屈曲部５８Ｃの上面に亘って設けられている。この側管部６４の径は、本体管部５８の径よりも大径に形成されている。
【００３６】
また、側管部６４と本体管部５８との間には、仕切壁６６が設けられている。仕切壁６６の中央には、仕切壁６６を上下方向に貫通する清掃口６８が形成されている。これにより、側管部６４の内部と本体管部５８の内部とが清掃口６８を介して連通している。
【００３７】
清掃口６８は、平面視で長尺な矩形状に形成されており、長手方向が横引き管４６の軸方向に一致している。また、清掃口６８は、平面視で本体管部５８の水平部５８Ａ及び屈曲部５８Ｃと重なる位置に形成されている。具体的には、図４に示すように、清掃口６８は、平面視で本体管部５８の水平部５８Ａと屈曲部５８Ｃの外形より一回り大きく形成されている。このため、仕切壁６６に形成された清掃口６８を通して、水平部５８Ａと鉛直部５８Ｂの内部が視認可能とされている。また、清掃口６８の周縁部と本体管部５８との境界部分には、本体管部５８の水平部５８Ａの下流側端部、屈曲部５８Ｃ、鉛直部５８Ｂの上流側端部に亘って連続して形成された段差部６７が設けられている。
【００３８】
図３、図４、図６に示すように、側管部６４の下端部かつ内周面には、側管部６４の径方向の内側（中心側）へ突出した環状の段部７０が形成されている。一方、側管部６４の外周面には、側管部６４の軸方向の上部に雄螺子７２が形成されており、雄螺子７２の下方側には、環状溝７４が形成されている。この環状溝７４には、Ｏリング７６が装着されている。
【００３９】
図２に示すように、側管部６４の内部には、中子５４が挿入されている。中子５４は、透明な合成樹脂で形成されている。図５にも示すように、中子５４は、側管部６４の内部に挿入される円筒部７８を備え、円筒部７８の軸方向の下端部には清掃口６８に嵌合する清掃口閉塞部８０が円筒部７８と一体的に形成されている。
【００４０】
円筒部７８には、軸方向下端部の外周面に環状溝８２が形成されており、この環状溝８２には、Ｏリング８４が装着されている。図２、及び図６に示すように、中子５４が側管部６４の内部に挿入された状態では、Ｏリング８４が側管部６４の内周面に接触し、中子５４と側管部６４との間の隙間をシールする構成とされている。
【００４１】
図２、及び図５に示すように、清掃口閉塞部８０は、Ｌ字状に湾曲された板材として形成され、側管部６４の内部に中子５４を挿入した際に、清掃口６８を上方側から覆うように配置される。また、上記した通り、中子５４は透明な合成樹脂で形成されているため、側管部６４の内部に中子５４を挿入した状態で外部から本体管部５８の内部が視認可能とされている。なお、中子５４を半透明な合成樹脂で形成する構成としてもよい。
【００４２】
また、清掃口閉塞部８０は、清掃口閉塞部８０の延在方向と直行する方向に沿った断面形状が、本体管部５８側に開放された略円弧状とされている。さらに、清掃口閉塞部８０の内面を構成する湾曲面８６の曲率半径は、本体管部５８内周面の曲率半径と一致している。従って、清掃口閉塞部８０を清掃口６８に嵌合させた状態では、清掃口閉塞部８０の周縁部が段差部６７に嵌合し、清掃口閉塞部８０の湾曲面８６は、本体管部５８の内周面と段差無く繋がる構成とされている。これにより、中子５４の清掃口閉塞部８０が、屈曲部５８Ｃの一部を構成している。
【００４３】
蓋５６の内周部には、側管部６４の雄螺子７２に螺合する雌螺子８８と、側管部６４のＯリング７６が接触する接触部９０が形成されている。側管部６４に蓋５６を取り付けると、側管部６４のＯリング７６が蓋５６の接触部９０に接触し、側管部６４と蓋５６との間の隙間をシールする構成とされている。なお、蓋５６は、中子５４と同様に、透明又は半透明な合成樹脂で形成されることが好ましい。蓋５６を透明又は半透明な合成樹脂で形成した場合、蓋５６を側管部６４に装着した状態で、蓋５６、中子５４を通して本体管部５８の内部を視認可能とされる。
【００４４】
（サイホン排水管４４の内部を洗浄する方法）
次に、本実施形態のサイホン排水管４４の内部を洗浄する際の手順を以下に説明する。
【００４５】
（１）  先ず、水廻り器具２０からの排水を停止し、清掃口付き継手５０から蓋５６を取り外し、側管部６４の内部から中子５４を取り出して、図７に示すように清掃口６８を露出させる。
【００４６】
（２）  次に、図８に示すように清掃口付き継手５０の側管部６４に筒状に形成されたガイド部材９２を取り付ける（第１工程）。ガイド部材９２は、ゴム等の弾性体により構成され、略円筒状に形成された基部９２Ａと、基部９２Ａの軸方向の一端側の周縁部から一体に形成された案内部９２Ｂを備えている。案内部９２Ｂは、基部９２Ａの軸方向一端側の周縁部から軸方向外側へ立設され、側面視ですり鉢状をなす壁部９２Ｂ１を備えている。換言すると、壁部９２Ｂ１は、基部９２Ａの周縁部から外側へ向かうにつれて内径が徐々に拡径されており、基部９２Ａの軸方向に対して所定の方向に傾斜している。ガイド部材９２の取付作業は、円筒状の基部９２Ａを側管部６４の内側に挿入することにより完了する。この状態において、案内部９２Ｂの内側面は、基部９２Ａの軸方向（鉛直方向）に対して径方向外側へ傾斜して配置されている。
【００４７】
（３）  次に、洗浄ノズル９２をガイド部材９２を介して清掃口６８に挿入し、横引き管４６と竪管４８の内部を洗浄する（第２工程）。清掃口付き継手５０よりも上流側の横引き管４６の内部を洗浄する場合には、図７に実線で示すように、水ｗを噴射する洗浄ノズル９２を、清掃口６８から本体管部５８の水平部５８Ａ側へ送り込み、横引き管４６の内部へ向けて挿入する。そして、洗浄ノズル９２から水ｗを噴出させながら横引き管４６の上流側へホース９４を順次送り込む。これにより、横引き管４６の内部を順次洗浄することができる。なお、洗浄で使用された水ｗは、竪管４８側へ流れて排水立て管１２に排出される。
【００４８】
ここで、清掃口６８の周りはガイド部材９２の側面で覆われているため、洗浄用の水ｗが清掃口付き継手５０の外部に飛散するということが抑制される。さらに、洗浄ノズル９２を横引き管４６の上流側に送り込む際、側管部６４よりも外側に配置されたホース９４が、ガイド部材９２の案内部９２Ｂによって緩やかに傾斜しながら支持される。このため、ガイド部材９２を介して清掃口６８へ洗浄ノズル９４を挿入する場合でも、ホース９６を洗浄ノズル９４の進行方向に沿って支持することができるため、洗浄ノズル９４及びホース９６の送り込み作業が容易に行える構成とされている。
【００４９】
なお、排管の内径寸法が小さい場合等、ホース９６を排管に沿って大きく傾斜させながら挿入する必要がある場合には、ゴム製の案内部９２Ｂを弾性変形させて傾斜方向を変更し、ホース９６を挿入方向に合わせて支持可能とされている。
【００５０】
一方、清掃口付き継手５０よりも下流側の竪管４８の内部を洗浄する場合には、図７に２点鎖線で示すように、水ｗを噴射する洗浄ノズル９２を、清掃口６８から本体管部５８の鉛直部５８Ｂ側へ送り込み、竪管４８の内部へ向けて挿入する。そして、洗浄ノズル９２から水ｗを噴出させながら竪管４８の下流側へホース９４を順次送り込む。これにより、竪管４８の内部を順次洗浄することができる。本実施形態では、清掃口６８が、平面視で本体管部５８の屈曲部５８Ｃと重なる位置に形成されている。このため、洗浄ノズル９４を清掃口６８から鉛直下方側へ挿入することで竪管４８の内部へ洗浄ノズル９４を送り込むことができる。これにより、洗浄ノズル９４のホース９６をほとんど折り曲げることなく竪管４８内部の洗浄作業が可能とされている。なお、洗浄で使用された水ｗは、竪管４８の下流側へ流れて排水立て管１２に排出される。
【００５１】
（作用、効果）
次に、本実施形態に係るサイホン排水管４４の内部の清掃方法の作用並びに効果について説明する。
【００５２】
本実施形態のサイホン排水管４４は、水平方向に延在し水廻り器具２０からの排水を流す横引き管４６と、横引き管４６の下流側に配置され、略鉛直方向に延在する竪管４８と、両者を連結させる清掃口付き継手５０を含んで構成されている。また、清掃口付き継手５０は屈曲部５８Ｃを中心に湾曲されている。屈曲部５８Ｃの全体と重なる部位に清掃口６８が設けられている。
【００５３】
このサイホン排水管４４の内部の清掃作業は、予め、清掃口６８に該清掃口６８の周囲を覆うガイド部材９２を取り付けて、ガイド部材９２の内部を通って、清掃口６８からサイホン排水管４４の内部に洗浄ノズル９４を挿入することにより行われる。
【００５４】
本実施形態では、洗浄ノズル９４が挿入される清掃口６８が、清掃口付き継手５０を構成する屈曲部５８Ｃの全体と重なる部位に設けられている。このため、洗浄ノズル９４を屈曲部５８Ｃの近傍から挿入することができるため、清掃口６８を通じて横引き管４６側と竪管４８側のいずれにも洗浄ノズル９４を挿入し易い構造とされている。その結果、洗浄ノズル９４のホース９６がサイホン排水管４４の内部で急激に折り曲げられることが抑制され、排水管の内部へ洗浄ノズル９４を挿入する作業が容易になる。
【００５５】
また、サイホン排水管４４の清掃口６８は、その周囲が筒状のガイド部材９２で覆われているため、清掃口６８から洗浄用の水ｗが外部へ飛散することを防止することができる。これにより、作業場（メーターボックス１８の中）が洗浄用の水ｗで汚されることなく作業できるため、清掃作業の効率を向上させることができる。
【００５６】
さらに、ガイド部材９２を介してサイホン排水管４４の内部へ洗浄ノズル９４を挿入する際に、洗浄ノズル９４のホース９６がガイド部材９２の案内部９２Ｂによって所定の方向に傾斜しながら支持される。このため、洗浄ノズル９４の導入方向に合わせてホース９６を傾斜させながら挿入することができるため、サイホン排水管４４の内部へ洗浄ノズル９４を挿入する作業が容易になる。
【００５７】
また、本実施形態において、ガイド部材９２の案内部９２Ｂは、基部９２Ａの軸方向の一端側の周縁部から軸方向外側へ立設された壁部９２Ｂ１を有している。また、この壁部９２Ｂ１は該周縁部から外側へ向かうにつれて内径が徐々に拡径されている。壁部９２Ｂ１によるホース９６の支持面を変更することにより、ガイド部材９２を取り付けたままで、ホース９６の傾斜方向を変更することができる。これにより、サイホン排水管４４の内部へ洗浄ノズル９４を挿入する作業が、一層、容易になる。
【００５８】
また、本実施形態では、ガイド部材が、ゴム等の弾性変形可能な弾性体で形成されている。このため、サイホン排水管４４の内径寸法が小さい場合等、洗浄ノズル９４のホース９６を排水管に沿わせるように大きく傾斜させながら挿入する必要がある場合には、ガイド部材９２の案内部９２Ｂを弾性変形させてホース９６を洗浄ノズル９４の挿入方向に合わせて傾斜させることができる。これにより、様々な形状の排水管の洗浄に対応することができ、清掃作業の汎用性が高められている。
【００５９】
また、本実施形態では、清掃口付き継手５０がメーターボックス１８の中に配置されているため、清掃口６８が住戸の外側に配置されている。このため、作業員が住戸内に入ることなく洗浄作業を行うことができ、清掃作業に伴う入居者等への影響を抑えることができる。よって、清掃作業の利便性を向上することができる。
【００６０】
［補足説明］
以上、本発明の一実施形態について説明したが、本発明は、上記に限定されるものでなく、上記以外にも、その主旨を逸脱しない範囲内において種々変形して実施可能であることは勿論である。
【００６１】
例えば、上記実施形態では、清掃口付き継手５０を構成する中子５４及び蓋５６の全体を透明又は半透明の合成樹脂で形成する構成としたが、本発明はこれに限らない。中子５４、及び蓋５６の一部が透明又は半透明の合成樹脂で形成する構成としてもよい。具体的には、中子５４の円筒部７８を不透明な合成樹脂で形成し、清掃口閉塞部８０を透明な合成樹脂で形成してもよい。つまり、中子５４及び蓋５６において、平面視で清掃口付き継手５０の清掃口６８を重なる部位が透明又は半透明な合成樹脂で形成されていればよい。
【００６２】
また、本発明はこれに限らず、中子５４及び蓋５６の全体を不透明な合成樹脂で形成する構成としてもよい。
【００６３】
また、本実施形態では、清掃口付き継手５０の清掃口６８が、継手の曲がり部全体と重なる位置に形成される構成としたが、本発明はこれに限らない。清掃口６８は継手の曲がり部（本体管部５８の屈曲部５８Ｃ）の少なくとも一部と重なる位置に形成されていればよく、平面視で、本体管部５８の水平部５８Ａ及び鉛直部５８Ｂの内部の少なくとも一部が視認可能であることが好ましい。
【００６４】
また、本実施形態では、横引き管４６及び竪管４８の内部を洗浄する方法の一例として、清掃口付き継手５０の側管部６４にガイド部材９２を装着する構成としたが、本発明はこれに限らない。側管部６４にガイド部材９２を装着せず、直接側管部６４に洗浄ノズル９４を挿入して洗浄してもよい。また、本実施形態では、ガイド部材９２を弾性変形可能なゴム製としたが、弾性変形しない合成樹脂で形成してもよい。
【００６５】
また、横引き管４６及び竪管４８の内部を洗浄する方法の一例として、図９に示されるガイド部材１００を側管部６４に装着してもよい。ガイド部材１００は、合成樹脂により形成され、略円筒状をなす基部１００Ａと、基部１００Ａの軸方向の一端側の周縁部に一体に形成された案内部１００Ｂを備えている。案内部１００Ｂは、基部１００Ａの軸方向一端側の周縁部から軸方向の外側へ立設された壁部１００Ｂ１を備えている。この壁部１００Ｂ１の内径は、基部１００Ａ周縁部から外側に向かうにつれて徐々に縮径されており、若干先細りした筒体状に形成されている。また、壁部１００Ｂ１は、基部１００Ａの軸方向に対して所定の方向に傾斜されている。ガイド部材１００の取付作業は、円筒状の基部１００Ａを清掃口付き継手５０の側管部６４の内側に挿入することにより完了する。
【００６６】
このガイド部材１００では、側管部６４への基部１００Ａの挿入方向を軸回りに回転させて変更することにより、案内部１００Ｂの延在方向を所定の方向に変更することができる。このため、横引き管４６の洗浄時には、横引き管４６の延在方向に合わせて案内部１００Ｂが配置される向きにガイド部材１００を装着する（図９に示す実線位置参照）。そして、竪管４８の洗浄時には、ガイド部材の向きを変更し、竪管４８の延在方向に合わせて案内部１００Ｂを配置する（図９に示す２点鎖線位置参照）。これにより、ガイド部材１００を用いて洗浄ノズル９４をその導入方向に合わせて支持することができるため、上記実施形態と同様に、排管内部への洗浄ノズル９４の挿入作業を容易に行うことができる。また、案内部１００Ｂの壁部１００Ｂ１は、先端に向かうにつれて先細りしているため、洗浄ノズル９４から噴出する洗浄用の水ｗが外部へ飛散しにくい構成とされている。
【００６７】
また、図９に示されるように、配管の内部の清掃作業時に案内部１００Ｂの上端部の挿通口１００Ｂ２に蓋部材２００を嵌合させてもよい。これにより、清掃口６８から洗浄用の水ｗが外部へ飛散することを一層効果的に抑制することができる。蓋部材２００は、一例としてゴム等の弾性体により形成され、略円柱形状とされている。また、蓋部材２００は、軸方向に沿った中心にホース９６が移動可能に挿通されている。蓋部材２００外形寸法は挿通口１００Ｂ２の内径よりも若干小さく設定されており、挿通口１００Ｂ２から案内部１００Ｂの内部に圧入されることにより、挿通口１００Ｂ２に嵌合する構成とされている。なお、ガイド部材１００は、合成樹脂製に限らず、ゴム等の弾性体により形成する構成としてもよい。
【００６８】
また、本実施形態では、清掃口付き継手５０が、横引き管４６と竪管４８との連結部に設けられる構成としたが、本発明はこれに限らない。図１０に示される清掃口付き継手３００のように、継手の本体部５２を構成する本体管部３０２を略円筒状に形成し、直線状に配置された配管経路の途中に清掃口付き継手３００が接続される構成としてもよい。
【００６９】
また、本実施形態では、ガイド部材９２の案内部９２Ｂの形状を、側面視ですり鉢状をなす形状としたが、本発明はこれに限らない。例えば、側面視で円柱台形状をなす形状としてもよい。
【００７０】
また、上記実施形態では、清掃口付き継手５０をサイホン排水管４４に接続したが、下流側へ向けて傾斜する一般的な勾配配管に接続してもよい。また、清掃口付き継手５０を水平方向に延在する横引き管４６と鉛直下方に延在する竪管４８とに接続される構成としたが、これに限らず、水平面上において互いに異なる方向に延在する２本の排管の連結部に適用してもよい。
【符号の説明】
【００７１】
２０…水廻り器具、４４…サイホン排水管（排水管）、４６…横引き管、４８…竪管、５０…清掃口付き継手（継手）、５８Ｃ…屈曲部、６８…清掃口、９２…ガイド部材、９２Ａ…基部、９２Ｂ…案内部、９２Ｂ１…壁部、１００…ガイド部材、１００Ａ…基部、１００Ｂ…案内部、１００Ｂ１…壁部
【図１】
2020063565.tif 000003
【図２】
2020063565.tif 000004
【図３】
2020063565.tif 000005
【図４】
2020063565.tif 000006
【図５】
2020063565.tif 000007
【図６】
2020063565.tif 000008
【図７】
2020063565.tif 000009
【図８】
2020063565.tif 000010
【図９】
2020063565.tif 000011
【図１０】
2020063565.tif 000012